(57)【要約】      （修正有）【課題】デバイスコスト、使用面積、回路制御の難度の増加を防止し、ＬＥＤライト群を高精度制御する電流制御装置を提供する。【解決手段】高精度制御型の電流制御装置であって、ＬＥＤライト群の電流制御に用いられる。電流制御装置は、ライト群スイッチ、複数の抵抗分岐路Ｂｒ＿１〜Ｂｒ＿ｎ及び制御装置１００を含む。ライト群スイッチはＬＥＤライト群に直列に接続される。抵抗分岐路はＬＥＤライト群に電気的に接続される。各抵抗分岐路は、抵抗器Ｒｓｅｔ＿１〜Ｒｓｅｔ＿ｎと、抵抗器に直列に接続される分岐路スイッチＱｒ１〜Ｑｒｎを含む。制御装置１００は、ライト群制御信号ＬＥＤ＿１＿ＥＮと複数の分岐路制御信号ＬＥＤ＿ＣＴＲＬ＿１〜ＬＥＤ＿ＣＴＲＬ＿ｎを提供する。ライト群制御信号はＬＥＤライト群のオン及びオフの制御に用いられ、分岐路制御信号は分岐路スイッチのオン及びオフをそれぞれ制御する。【選択図】図３
0003228646.tif 000002
【実用新案登録請求の範囲】
【請求項１】
ＬＥＤライト群の電流制御に用いられる高精度制御型の電流制御装置であって、
前記ＬＥＤライト群に直列に接続されるライト群スイッチ、
前記ＬＥＤライト群に電気的に接続されるとともに、抵抗器と、前記抵抗器に直列に接続される分岐路スイッチを含む複数の抵抗分岐路、及び
ライト群制御信号と複数の分岐路制御信号を提供する制御装置、を含み、
前記ライト群制御信号は前記ＬＥＤライト群のオン及びオフの制御に用いられ、前記分岐路制御信号は前記分岐路スイッチのオン及びオフをそれぞれ制御する電流制御装置。
【請求項２】
前記分岐路スイッチのオン及びオフによって対応する前記抵抗器が並列に電気的に接続されることで、等価の抵抗値が提供されるとともに、最大電流値が決定される請求項１に記載の高精度制御型の電流制御装置。
【請求項３】
前記分岐路スイッチが全てオンになると、前記等価の抵抗値は最小となり、
前記分岐路スイッチが全てオフになると、前記等価の抵抗値は最大となる請求項２に記載の高精度制御型の電流制御装置。
【請求項４】
前記電流制御装置は、パルス幅変調信号のデューティサイクルを制御することで最大電流値を微調整する請求項２に記載の高精度制御型の電流制御装置。
【請求項５】
１％間隔の電流で前記最大電流値を微調整する請求項４に記載の高精度制御型の電流制御装置。
【請求項６】
複数のＬＥＤライト群の電流制御に用いられる高精度制御型の電流制御装置であって、
前記ＬＥＤライト群にそれぞれ直列に接続される複数のライト群スイッチ、
前記ＬＥＤライト群に電気的に接続されるとともに、抵抗器と、前記抵抗器に直列に接続される分岐路スイッチを含む複数の抵抗分岐路、及び
複数のライト群制御信号と複数の分岐路制御信号を提供する制御装置、を含み、
前記ライト群制御信号は前記ＬＥＤライト群のオン及びオフの制御に用いられ、前記分岐路制御信号は前記分岐路スイッチのオン及びオフをそれぞれ制御する電流制御装置。
【請求項７】
前記分岐路スイッチのオン及びオフによって対応する前記抵抗器が並列に電気的に接続されることで、等価の抵抗値が提供されるとともに、最大電流値が決定される請求項６に記載の高精度制御型の電流制御装置。
【請求項８】
前記分岐路スイッチが全てオンになると、前記等価の抵抗値は最小となり、
前記分岐路スイッチが全てオフになると、前記等価の抵抗値は最大となる請求項７に記載の高精度制御型の電流制御装置。
【請求項９】
前記電流制御装置は、パルス幅変調信号のデューティサイクルを制御することで最大電流値を微調整する請求項７に記載の高精度制御型の電流制御装置。
【請求項１０】
１％間隔の電流で前記最大電流値を微調整する請求項９に記載の高精度制御型の電流制御装置。
【請求項１１】
前記電流制御装置は電子ミラースクリーンに応用され、且つ、前記ＬＥＤライト群の一方は補助ライト光源として用いられ、他方はメイクアップライト光源として用いられる請求項６に記載の高精度制御型の電流制御装置。
【請求項１２】
前記電流制御装置は、前記メイクアップライト光源よりも大きな最大電流値を前記補助ライト光源に提供する請求項１１に記載の高精度制御型の電流制御装置。
【考案の詳細な説明】
【技術分野】
【０００１】
本考案は、電流制御装置に関し、特に、ＬＥＤライト群を高精度制御する電流制御装置に関する。
【背景技術】
【０００２】
電子ミラースクリーン（或いは、スマートミラースクリーンとも称する）はデジタル化された電子ミラーであって、主として、撮影レンズで人体の画像を撮影したあと、反射方式で画像をスクリーンに表示する。これにより、使用者はまるで鏡を見ているようにスクリーンから自身の顔を確認できる。ところで、撮影レンズで画像を撮影可能なだけの十分な輝度を環境内に持たせるためには、撮影レンズの周囲に光源（補助ライト光源）を設置して、光源の反射原理を利用すればよい。使用者が電子ミラースクリーンの撮影モードをオンにした場合には、光源が顔に向かって照射することで顔に対する補光照明効果が達せられるため、撮影レンズによる顔の画像取得に都合がよい。また、使用者が電子ミラースクリーンのメイクアップモードをオンにした場合には、レンズ面に設けられた光源（メイクアップライト光源）からの発光によって、使用者は当該光源の色温度下ではどのようなメイク状態になるのかを知り得るため、容易にメイク作業を完了するのに役立つ。
【０００３】
しかし、従来技術では、補助ライト光源とメイクアップライト光源それぞれの制御に複数組の駆動装置が必要である。例えば、補助ライト光源が１つの場合には、異なる色温度（例えば６５００Ｋと２７００Ｋの混合光）を制御するために、少なくとも２組の光源駆動装置が必要となる。同様に、メイクアップライト光源が１つの場合にも、２組の光源駆動装置が必要となる。この場合、デバイスコストの高騰や駆動装置による使用面積の増加だけでなく、回路制御の難度も増すことになる。
【０００４】
以上に鑑みて、本願の考案者は、上記の欠点を改善及び解決するために、研究に専念するとともに、学術理論を応用した結果、設計が合理的であり、且つ上記の欠点が効果的に改善される本考案を提案するに至った。
【考案の概要】
【考案が解決しようとする課題】
【０００５】
本考案の目的の一つは、デバイスコストの高騰や駆動装置による使用面積の増加だけでなく、回路制御の難度も増すとの課題を解決すべく、高精度制御型の電流制御装置を提供することである。
【課題を解決するための手段】
【０００６】
上記の目的を達成するために、本考案が提供する高精度制御型の電流制御装置は、ＬＥＤライト群の電流制御に用いられる。当該電流制御装置は、ライト群スイッチ、複数の抵抗分岐路及び制御装置を含む。当該ライト群スイッチは当該ＬＥＤライト群に直列に接続される。上記の抵抗分岐路は当該ＬＥＤライト群に電気的に接続される。各当該抵抗分岐路は、抵抗器と、当該抵抗器に直列に接続される分岐路スイッチを含む。当該制御装置は、ライト群制御信号と複数の分岐路制御信号を提供する。当該ライト群制御信号は当該ＬＥＤライト群のオン及びオフの制御に用いられ、上記の分岐路制御信号は上記の分岐路スイッチのオン及びオフをそれぞれ制御する。
【０００７】
一実施例において、上記の分岐路スイッチのオン及びオフによって対応する上記の抵抗器が並列に電気的に接続されることで、等価の抵抗値が提供されるとともに、最大電流値が決定される。
【０００８】
一実施例において、上記の分岐路スイッチが全てオンになると上記の等価の抵抗値は最小となり、上記の分岐路スイッチが全てオフになると上記の等価の抵抗値は最大となる。
【０００９】
一実施例において、当該制御装置は、パルス幅変調信号のデューティサイクルを制御することで当該最大電流値を微調整する。
【００１０】
一実施例において、１％間隔の電流で当該最大電流値を微調整する。
【００１１】
本考案で提供する高精度制御型の電流制御装置は、以下を実現可能である。
【００１２】
１．個々のＬＥＤライトの発光輝度を個別に制御してもよいし、複数組のＬＥＤライト群の発光輝度を同時に制御してもよいため、光源制御の応用の多元性及び柔軟性が増す。
【００１３】
２．より少ない光源駆動装置を使用することで、デバイスコストや駆動装置による使用面積を削減可能であるとともに、回路制御の難度も低下する。
【００１４】
３．パルス幅変調信号のデューティサイクルを制御することで、ＬＥＤライト群の電流を細かく（例えば、１％間隔の電流値で）調整可能となるため、ＬＥＤライト群の電流の高精度制御を実現できる。
【００１５】
本考案の他の目的は、デバイスコストの高騰や駆動装置による使用面積の増加だけでなく、回路制御の難度も増すとの課題を解決すべく、高精度制御型の電流制御装置を提供することである。
【００１６】
上記の目的を達成するために、本考案が提供する高精度制御型の電流制御装置は、複数のＬＥＤライト群の電流制御に用いられる。当該電流制御装置は、複数のライト群スイッチ、複数の抵抗分岐路及び制御装置を含む。上記のライト群スイッチは上記のＬＥＤライト群にそれぞれ直列に接続される。上記の抵抗分岐路は上記のＬＥＤライト群に電気的に接続される。各当該抵抗分岐路は、抵抗器と、当該抵抗器に直列に接続される分岐路スイッチを含む。当該制御装置は、複数のライト群制御信号と複数の分岐路制御信号を提供する。当該ライト群制御信号は当該ＬＥＤライト群のオン及びオフの制御に用いられ、上記の分岐路制御信号は上記の分岐路スイッチのオン及びオフをそれぞれ制御する。
【００１７】
一実施例において、上記の分岐路スイッチのオン及びオフによって対応する上記の抵抗器が並列に電気的に接続されることで、等価の抵抗値が提供されるとともに、最大電流値が決定される。
【００１８】
一実施例において、上記の分岐路スイッチが全てオンになると上記の等価の抵抗値は最小となり、上記の分岐路スイッチが全てオフになると上記の等価の抵抗値は最大となる。
【００１９】
一実施例において、当該制御装置は、パルス幅変調信号のデューティサイクルを制御することで当該最大電流値を微調整する。
【００２０】
一実施例において、１％間隔の電流で当該最大電流値を微調整する。
【００２１】
一実施例において、当該電流制御装置は電子ミラースクリーンに応用され、且つ、上記のＬＥＤライト群の一方は補助ライト光源として用いられ、他方はメイクアップライト光源として用いられる。
【００２２】
本考案で提供する高精度制御型の電流制御装置は、以下を実現可能である。
【００２３】
１．個々のＬＥＤライトの発光輝度を個別に制御してもよいし、複数組のＬＥＤライト群の発光輝度を同時に制御してもよいため、光源制御の応用の多元性及び柔軟性が増す。
【００２４】
２．より少ない光源駆動装置を使用することで、デバイスコストや駆動装置による使用面積を削減可能であるとともに、回路制御の難度も低下する。
【００２５】
３．パルス幅変調信号のデューティサイクルを制御することで、ＬＥＤライト群の電流を細かく（例えば、１％間隔の電流値で）調整可能となるため、ＬＥＤライト群の電流の高精度制御を実現できる。
【００２６】
本考案が所期の目的を達成するために用いる技術、手段及び効果を更に理解するために、以下の本考案に関する詳細な説明と図面を参照することで、本考案の目的、特徴及び特性を深く且つ具体的に理解可能となるはずである。ただし、添付の図面は参考及び説明のためのものにすぎず、本考案を制限する意図ではない。
【図面の簡単な説明】
【００２７】
【図１】図１は、本考案における補助ライト光源とメイクアップライト光源が設けられた電子ミラースクリーンを示す図である。
【図２】図２は、従来のＬＥＤ駆動回路の回路図である。
【図３】図３は、本考案の高精度制御型の電流制御装置における複数組のＬＥＤ制御の回路図である。
【図４】図４は、本考案の高精度制御型の電流制御装置における複数組のＬＥＤライト群回路の回路図である。
【考案を実施するための形態】
【００２８】
本考案の技術内容及び詳細について、図面を組み合わせて以下の通り説明する。
【００２９】
本考案における補助ライト光源とメイクアップライト光源が設けられた電子ミラースクリーンを示す図１を参照する。当該電子ミラースクリーン１はスクリーン２を備える。また、当該電子ミラースクリーン１の上部（ただし、これに限らない）には撮影レンズ３が設けられている。更に、当該撮影レンズ３の周囲には補助ライト光源１０が設けられている。当該補助ライト光源１０はＬＥＤライト群であり、複数のＬＥＤから構成される。これにより、当該撮影レンズ３の光センサ（図示しない）により検出された環境光の輝度及び色温度に基づき、当該補助ライト光源１０が検出結果に応じて必要な補助光の輝度及び色温度を提供したあと、撮影モードにおいて当該撮影レンズ３による撮影を行えばよい。
【００３０】
当該スクリーン２は、反射鏡としての機能と、光を透過可能なスクリーンとしての機能を兼ね備えている。スクリーン上に像を映す際には、撮影レンズ３により取得（及び処理）した画像を表示可能であり、当該スクリーン２に像を映さない場合には、反射鏡機能によって一般的な光学ミラーとしての機能を発揮する。当該スクリーン２の内部両側（ただし、これに限らない）には、メイクアップライト光源２０が設けられている。当該メイクアップライト光源２０はＬＥＤライト群であり、複数のＬＥＤから構成される。図１に示すメイクアップライト光源２０の場合を例示すると、２組（２本）のＬＥＤライト群を有しており、当該２組のＬＥＤライト群が電気的に並列に接続されている。メイクアップモードでは、当該スクリーン２を鏡として使用する。メイクアップライト光源２０が発光することで、使用者は当該光源の色温度下でどのようなメイク状態になるのかを知り得るため、容易にメイク作業を完了するのに役立つ。具体的には、当該スクリーン２は半透過型のミラーであり、背面側の層が液晶ディスプレイ（ＬＣＤ）となっている。スクリーンをオフにすると通常の鏡と同様となり、この場合には、当該メイクアップライト光源２０をオンにして顔を照射することを選択可能である。一方、スクリーンをオンにすると鏡を透過して画面が表示される。この場合には撮影を選択可能となり、当該補助ライト光源１０が補助光をオンにする。
【００３１】
従来のＬＥＤ駆動回路の回路図である図２を参照する。従来は、１組のＬＥＤ駆動装置（ＬＥＤ ｄｒｉｖｅｒ）５０が１組の固定電流を駆動することしかできなかった。この場合、ＬＥＤライト群を流れる電流（ＩＬＥＤ）の大きさの関係式は下記の通りとなる。
【００３２】
【数１】
0003228646.tif 000003
【００３３】
式中、ＶＦＢはフィードバック電圧の大きさ、Ｒｓｅｔは設計抵抗値である。例えば、フィードバック電圧ＶＦＢを０．１５５Ｖ（電圧の大きさはＩＣの設計値に関係）とした場合、設計抵抗値Ｒｓｅｔを０．１８Ωとすると、ＬＥＤライト群を流れる電流（ＩＬＥＤ）の大きさは８６１ｍＡとなる。この場合、制御装置１００によってパルス幅変調（ＰＷＭ）信号のデューティサイクル（ｄｕｔｙ ｃｙｃｌｅ）を制御することで、当該電流を、ｄｕｔｙ ｃｙｃｌｅ＝１％、ｄｕｔｙ ｃｙｃｌｅ＝２％、・・・、ｄｕｔｙ ｃｙｃｌｅ＝１００％の１００段に分割することが可能となり、このとき、各段の電流はおよそ８．６１ｍＡとなる。これにより、ＬＥＤライト群の電流（ＩＬＥＤ）の大きさを制御することで、ＬＥＤライト群の輝度を制御可能となる。なお、マスターコントロール集積回路（ＩＣ）である当該制御装置１００はデジタル制御装置とすればよい。即ち、当該制御装置は、デジタル信号処理、演算及び制御機能を備えており、マイクロコントローラ（ｍｉｃｒｏｃｏｎｔｒｏｌｌｅｒ，ＭＣＵ）、デジタルシグナルプロセッサ（ｄｉｇｉｔａｌ ｓｉｇｎａｌ ｐｒｏｃｅｓｓｏｒ，ＤＳＰ）、フィールドプログラマブルゲートアレイ（ｆｉｅｌｄ−ｐｒｏｇｒａｍｍａｂｌｅ ｇａｔｅ ａｒｒａｙ，ＦＰＧＡ）、或いは特定用途向け集積回路（ａｐｐｌｉｃａｔｉｏｎ−ｓｐｅｃｉｆｉｃ ｉｎｔｅｇｒａｔｅｄ ｃｉｒｃｕｉｔ，ＡＳＩＣ）とすればよいが、これらに限らない。図２に示すように、当該制御装置１００は、駆動装置イネーブル信号ＬＥＤ＿ＥＮを生成して当該ＬＥＤ駆動装置５０に送信することで、当該ＬＥＤ駆動装置５０がイネーブル状態となって当該ＬＥＤライト群を駆動可能となるよう制御する。更に、当該制御装置１００は、パルス幅変調信号ＬＥＤ＿ＰＷＭを生成して当該ＬＥＤライト群回路に送信する。また、当該パルス幅変調信号ＬＥＤ＿ＰＷＭのデューティサイクルを制御してＬＥＤライト群の電流（ＩＬＥＤ）の大きさを複数段（例えば上述の１００段）に分割することで、ＬＥＤライト群の輝度を微調整することが可能である。図２に示す従来のＬＥＤ駆動回路の場合には、設計抵抗値Ｒｓｅｔが一度固定されると、調整可能な最大のＬＥＤライト群の電流（ＩＬＥＤ）も固定されてしまう。即ち、ＬＥＤライト群の最大輝度が固定される。
【００３４】
本考案の高精度制御型の電流制御装置における複数組のＬＥＤ制御の回路図である図３と、複数組のＬＥＤライト群回路の回路図である図４を参照する。当該高精度制御型の電流制御装置は、ＬＥＤライト群の電流制御に用いられる。本実施例では、図４における１組（例えば第１組）のＬＥＤライト群回路の場合を例示して説明する。当該電流制御装置は、ライト群スイッチＱ１と、複数の抵抗分岐路Ｂｒ＿１〜Ｂｒ＿ｎと、制御装置１００を含む。
【００３５】
当該ライト群スイッチＱ１は、当該ＬＥＤライト群ＬＥＤ＿１に直列に接続されている（図４参照）。且つ、当該ライト群スイッチＱ１と当該ＬＥＤライト群ＬＥＤ＿１で形成される直列構造は正駆動電圧ＶＬＥＤ＋と負駆動電圧ＶＬＥＤ−の出力端子の間に電気的に接続されている。また、上記の抵抗分岐路Ｂｒ＿１〜Ｂｒ＿ｎは、当該ＬＥＤライト群ＬＥＤ＿１に電気的に接続されている。図３に示すように、上記の抵抗分岐路Ｂｒ＿１〜Ｂｒ＿ｎは当該負駆動電圧ＶＬＥＤ−の出力端子に電気的に接続されている。上記の各抵抗分岐路Ｂｒ＿１〜Ｂｒ＿ｎは、抵抗器Ｒｓｅｔ＿１〜Ｒｓｅｔ＿ｎと、当該抵抗器Ｒｓｅｔ＿１〜Ｒｓｅｔ＿ｎに直列に接続される分岐路スイッチＱｒ１〜Ｑｒｎを含む。
【００３６】
図３に示すように、当該制御装置１００は、ライト群制御信号ＬＥＤ＿１＿ＥＮと、複数の分岐路制御信号ＬＥＤ＿ＣＴＲＬ＿１〜ＬＥＤ＿ＣＴＲＬ＿ｎを提供する。このうち、当該ライト群制御信号ＬＥＤ＿１＿ＥＮは、当該ＬＥＤライト群ＬＥＤ＿１のオン及びオフを制御するために用いられる。また、上記の分岐路制御信号ＬＥＤ＿ＣＴＲＬ＿１〜ＬＥＤ＿ＣＴＲＬ＿ｎは、上記の分岐路スイッチＱｒ１〜Ｑｒｎのオン及びオフを対応制御するために用いられる。例えば、当該分岐路制御信号ＬＥＤ＿ＣＴＲＬ＿１は、分岐路スイッチＱｒ１のオン及びオフを制御するために用いられ、当該分岐路制御信号ＬＥＤ＿ＣＴＲＬ＿２は、分岐路スイッチＱｒ２のオン及びオフを制御するために用いられる。以下同様である。
【００３７】
例えば、当該ＬＥＤライト群ＬＥＤ＿１について電流の大きさを制御したい場合には、当該制御装置１００が提供する当該ライト群制御信号ＬＥＤ＿１＿ＥＮによって当該ライト群スイッチＱ１がオンとなることで、当該ＬＥＤライト群ＬＥＤ＿１がＬＥＤの駆動電圧ＶＬＥＤ＋，ＶＬＥＤ−により駆動される。上記の抵抗分岐路Ｂｒ＿１〜Ｂｒ＿ｎについて述べると、上記の分岐路スイッチＱｒ１〜Ｑｒｎが上記の分岐路制御信号ＬＥＤ＿ＣＴＲＬ＿１〜ＬＥＤ＿ＣＴＲＬ＿ｎにより対応制御されて全てオンとなった場合、上記の抵抗器Ｒｓｅｔ＿１〜Ｒｓｅｔ＿ｎが設計抵抗器Ｒｓｅｔと並列状態になることで、分岐路全体の等価抵抗（Ｒｅｑ）が最小となる。この状態では、当該ＬＥＤライト群ＬＥＤ＿１に流れる電流が最大電流（ＩＬＥＤ＿ｍａｘ）となる。つまり、ＬＥＤライト群ＬＥＤ＿１の輝度が最も明るくなる。反対に、上記の分岐路スイッチＱｒ１〜Ｑｒｎが上記の分岐路制御信号ＬＥＤ＿ＣＴＲＬ＿１〜ＬＥＤ＿ＣＴＲＬ＿ｎにより対応制御されて全てオフとなった場合には、分岐路全体の等価抵抗（Ｒｅｑ）が最大になるとともに、設計抵抗器Ｒｓｅｔの大きさのみとなる（上記の抵抗器Ｒｓｅｔ＿１〜Ｒｓｅｔ＿ｎが全てオフとなるため）。この状態では、当該ＬＥＤライト群ＬＥＤ＿１に流れる電流が最小電流（ＩＬＥＤ＿ｍｉｎ）となる。つまり、ＬＥＤライト群ＬＥＤ＿１の輝度が最も暗くなる。このように、上記の分岐路制御信号ＬＥＤ＿ＣＴＲＬ＿１〜ＬＥＤ＿ＣＴＲＬ＿ｎによって対応する分岐路スイッチＱｒ１〜Ｑｒｎのオン及びオフを制御することで、当該ＬＥＤライト群ＬＥＤ＿１の電流を最大電流（ＩＬＥＤ＿ｍａｘ）と最小電流（ＩＬＥＤ＿ｍｉｎ）の間で制御可能となる結果、当該ＬＥＤライト群ＬＥＤ＿１の発光輝度を制御可能となる。
【００３８】
更に、当該制御装置１００によって、パルス幅変調信号ＬＥＤ＿ＰＷＭのデューティサイクル（ｄｕｔｙ ｃｙｃｌｅ）を、例えば１％のｄｕｔｙ ｃｙｃｌｅ、２％のｄｕｔｙ ｃｙｃｌｅ、・・・、１００％のｄｕｔｙ ｃｙｃｌｅとなるよう制御することで、１％間隔の電流値で当該ＬＥＤライト群ＬＥＤ＿１の電流を微調整可能となるため、当該ＬＥＤライト群ＬＥＤ＿１の電流の高精度制御を実現可能である。
【００３９】
他の実施例について、図４における複数組（例えば第１組〜第ｎ組）のＬＥＤライト群回路の場合を例示して説明する。当該電流制御装置は、複数のライト群スイッチＱ１〜Ｑｎと、複数の抵抗分岐路Ｂｒ＿１〜Ｂｒ＿ｎと、制御装置１００を含む。
【００４０】
上記のライト群スイッチＱ１〜Ｑｎは、上記のＬＥＤライト群ＬＥＤ＿１〜ＬＥＤ＿ｎにそれぞれ直列に接続されている（図４参照）。且つ、各当該ライト群スイッチＱ１〜Ｑｎと各当該ＬＥＤライト群ＬＥＤ＿１〜ＬＥＤ＿ｎで形成される直列構造は、正駆動電圧ＶＬＥＤ＋と負駆動電圧ＶＬＥＤ−の出力端子の間に対応して電気的に接続されている。また、上記の抵抗分岐路Ｂｒ＿１〜Ｂｒ＿ｎは、上記のＬＥＤライト群ＬＥＤ＿１〜ＬＥＤ＿ｎに電気的に接続されている。即ち、図３に示すように、１組の抵抗分岐路Ｂｒ＿１〜Ｂｒ＿ｎが１組のＬＥＤライト群ＬＥＤ＿１〜ＬＥＤ＿ｎに電気的に接続されており、且つ、上記の抵抗分岐路Ｂｒ＿１〜Ｂｒ＿ｎが当該負駆動電圧ＶＬＥＤ−の出力端子に電気的に接続されている。上記の各抵抗分岐路Ｂｒ＿１〜Ｂｒ＿ｎは、抵抗器Ｒｓｅｔ＿１〜Ｒｓｅｔ＿ｎと、当該抵抗器Ｒｓｅｔ＿１〜Ｒｓｅｔ＿ｎに直列に接続される分岐路スイッチＱｒ１〜Ｑｒｎを含む。
【００４１】
当該制御装置１００は、複数のライト群制御信号ＬＥＤ＿１＿ＥＮ〜ＬＥＤ＿ｎ＿ＥＮと、複数の分岐路制御信号ＬＥＤ＿ＣＴＲＬ＿１〜ＬＥＤ＿ＣＴＲＬ＿ｎを提供する。このうち、上記のライト群制御信号ＬＥＤ＿１＿ＥＮ〜ＬＥＤ＿ｎ＿ＥＮは、上記のＬＥＤライト群ＬＥＤ＿１〜ＬＥＤ＿ｎのオン及びオフを対応制御するために用いられる。例えば、ライト群制御信号ＬＥＤ＿１＿ＥＮは、ライト群スイッチＱ１のオン及びオフを制御することで当該ＬＥＤライト群ＬＥＤ＿１のオン及びオフを制御し、ライト群制御信号ＬＥＤ＿２＿ＥＮは、ライト群スイッチＱ２のオン及びオフを制御することで当該ＬＥＤライト群ＬＥＤ＿２のオン及びオフを制御する。以下同様である。また、上記の分岐路制御信号ＬＥＤ＿ＣＴＲＬ＿１〜ＬＥＤ＿ＣＴＲＬ＿ｎは、上記の分岐路スイッチＱｒ１〜Ｑｒｎのオン及びオフを対応制御するために用いられる。例えば、分岐路制御信号ＬＥＤ＿ＣＴＲＬ＿１は、分岐路スイッチＱｒ１のオン及びオフを制御するために用いられ、分岐路制御信号ＬＥＤ＿ＣＴＲＬ＿２は、分岐路スイッチＱｒ２のオン及びオフを制御するために用いられる。以下同様である。
【００４２】
例えば、当該ＬＥＤライト群ＬＥＤ＿１と当該ＬＥＤライト群ＬＥＤ＿２について電流の大きさを制御したい場合には、当該制御装置１００が提供する当該ライト群制御信号ＬＥＤ＿１＿ＥＮと当該ライト群制御信号ＬＥＤ＿２＿ＥＮによって当該ライト群スイッチＱ１と当該ライト群スイッチＱ２がそれぞれオンとなることで、当該ＬＥＤライト群ＬＥＤ＿１と当該ＬＥＤライト群ＬＥＤ＿２が各々に対応するＬＥＤの駆動電圧ＶＬＥＤ＋，ＶＬＥＤ−によりそれぞれ駆動される。
【００４３】
説明の便宜上及び明瞭化のために、２組のＬＥＤライト群ＬＥＤ＿１〜ＬＥＤ＿２の場合を例示して説明する。なお、当該２組のＬＥＤライト群ＬＥＤ＿１〜ＬＥＤ＿２のうち、一方のＬＥＤライト群ＬＥＤ＿１は、図１に示した当該補助ライト光源１０として使用可能であり、他方のＬＥＤライト群ＬＥＤ＿２は、図１に示した当該メイクアップライト光源２０として使用可能である。当該補助ライト光源１０と当該メイクアップライト光源２０は、応用時の発光輝度がそれぞれ異なっている。即ち、通常、補助ライト光源１０の発光輝度は大きいが、メイクアップライト光源２０の発光輝度は小さい。そこで、本実施例では、複数組（例えば２組）の異なるＬＥＤライト群ＬＥＤ＿１〜ＬＥＤ＿ｎに対し異なる最大電流（発光輝度と正の関係を有する）を提供可能とする制御について説明する。
【００４４】
例えば、当該補助ライト光源１０（即ち、ＬＥＤライト群ＬＥＤ＿１）について発光輝度を制御したい場合には、当該制御装置１００が提供する当該ライト群制御信号ＬＥＤ＿１＿ＥＮによって当該ライト群スイッチＱ１がオンとなるよう制御し、当該ライト群制御信号ＬＥＤ＿２＿ＥＮによって当該ライト群スイッチＱ２がオフとなるよう制御することで、当該ＬＥＤライト群ＬＥＤ＿１について発光輝度を制御する（当該ＬＥＤライト群ＬＥＤ＿２については発光輝度を制御しない）。通常、当該補助ライト光源１０の発光輝度は（当該メイクアップライト光源２０と比較して）大きいことから、当該制御装置１００が提供する上記の分岐路制御信号ＬＥＤ＿ＣＴＲＬ＿１〜ＬＥＤ＿ＣＴＲＬ＿ｎによって複数組の分岐路スイッチＱｒ１〜Ｑｒｎをオンとするか、抵抗値の小さな分岐路スイッチＱｒ１〜Ｑｒｎをオンとすることで分岐路全体の等価抵抗（Ｒｅｑ）を小さくする。これにより、下記式で演算すると、当該ＬＥＤライト群ＬＥＤ＿１を流れる例えば９２８．１４ｍＡといった比較的大きな電流を取得可能となる結果、ＬＥＤライト群ＬＥＤ＿１に大きな最大輝度を持たせることができる。
【００４５】
【数２】
0003228646.tif 000004
【００４６】
更に、当該制御装置１００によって、パルス幅変調信号ＬＥＤ＿ＰＷＭのデューティサイクル（ｄｕｔｙ ｃｙｃｌｅ）を、例えば１％のｄｕｔｙ ｃｙｃｌｅ、２％のｄｕｔｙ ｃｙｃｌｅ、・・・、１００％のｄｕｔｙ ｃｙｃｌｅとなるよう制御することで、１％間隔の電流値（９．２８１４ｍＡ）で当該ＬＥＤライト群ＬＥＤ＿１の電流を微調整可能となるため、当該ＬＥＤライト群ＬＥＤ＿１の電流の高精度制御を実現可能である。
【００４７】
例えば、当該メイクアップライト光源２０（即ち、ＬＥＤライト群ＬＥＤ＿２）について発光輝度を制御したい場合には、当該制御装置１００が提供する当該ライト群制御信号ＬＥＤ＿２＿ＥＮによって当該ライト群スイッチＱ２がオンとなるよう制御し、当該ライト群制御信号ＬＥＤ＿１＿ＥＮによって当該ライト群スイッチＱ１がオフとなるよう制御することで、当該ＬＥＤライト群ＬＥＤ＿２について発光輝度を制御する（当該ＬＥＤライト群ＬＥＤ＿１については発光輝度を制御しない）。通常、当該メイクアップライト光源２０の発光輝度は（当該補助ライト光源１０と比較して）小さいことから、当該制御装置１００が提供する上記の分岐路制御信号ＬＥＤ＿ＣＴＲＬ＿１〜ＬＥＤ＿ＣＴＲＬ＿ｎによって少数組の分岐路スイッチＱｒ１〜Ｑｒｎをオンとするか、抵抗値の大きな分岐路スイッチＱｒ１〜Ｑｒｎをオンとすることで分岐路全体の等価抵抗（Ｒｅｑ）を大きくする。これにより、下記式で演算すると、当該ＬＥＤライト群ＬＥＤ＿２を流れる例えば３８７．５１ｍＡといった比較的小さな電流を取得可能となる結果、ＬＥＤライト群ＬＥＤ＿２に小さな最大輝度を持たせることができる。
【００４８】
【数３】
0003228646.tif 000005
【００４９】
更に、当該制御装置１００によって、パルス幅変調信号ＬＥＤ＿ＰＷＭのデューティサイクル（ｄｕｔｙ ｃｙｃｌｅ）を、例えば１％のｄｕｔｙ ｃｙｃｌｅ、２％のｄｕｔｙ ｃｙｃｌｅ、・・・、１００％のｄｕｔｙ ｃｙｃｌｅとなるよう制御することで、１％間隔の電流値（３．８７５１ｍＡ）で当該ＬＥＤライト群ＬＥＤ＿２の電流を微調整可能となるため、当該ＬＥＤライト群ＬＥＤ＿２の電流の高精度制御を実現可能である。
【００５０】
次に、テーブルを用いて、上記ＬＥＤライト群ＬＥＤ＿１とＬＥＤライト群ＬＥＤ＿２の電流制御を示す。
【００５１】
【表１】
0003228646.tif 000006
【００５２】
【表２】
0003228646.tif 000007
【００５３】
表１及び表２に記載したように、当該補助ライト光源１０及び当該メイクアップライト光源２０の発光輝度の双方を制御しない場合、即ち、モード１の操作を選択した場合には、当該ライト群制御信号ＬＥＤ＿１＿ＥＮと当該ライト群制御信号ＬＥＤ＿２＿ＥＮ双方の論理レベルがローとなる（即ち、信号が０となる）。
【００５４】
一方、当該メイクアップライト光源２０の発光輝度を制御したい（当該補助ライト光源１０の発光輝度は制御しない）場合、即ち、モード２の操作を選択した場合には、当該ライト群制御信号ＬＥＤ＿１＿ＥＮの論理レベルがローとなり、当該ライト群制御信号ＬＥＤ＿２＿ＥＮの論理レベルがハイとなる（即ち、信号が１となる）。また、上述したように、通常、当該メイクアップライト光源２０の発光輝度は小さいことから、当該制御装置１００が提供する上記の分岐路制御信号ＬＥＤ＿ＣＴＲＬ＿１〜ＬＥＤ＿ＣＴＲＬ＿ｎは、少数組の分岐路スイッチＱｒ１〜Ｑｒｎをオンとするか、抵抗値の大きな分岐路スイッチＱｒ１〜Ｑｒｎをオンとする。そこで、当該分岐路制御信号ＬＥＤ＿ＣＴＲＬ＿２が抵抗値の大きな分岐路スイッチＱｒ２をオンとするよう選択すれば、当該分岐路制御信号ＬＥＤ＿ＣＴＲＬ＿２の論理レベルがハイとなり、当該分岐路制御信号ＬＥＤ＿ＣＴＲＬ＿１の論理レベルがロー（分岐路スイッチＱｒ１がオフ）となって、分岐路全体の等価抵抗０．４Ωが得られる。これにより、ＬＥＤライト群を流れる電流（ＩＬＥＤ）の大きさの関係式（フィードバック電圧ＶＦＢが０．１５５Ｖと仮定）で演算すると、ライト群の最大電流（ＩＬＥＤ＿ｍａｘ）が３８７．５１ｍＡである旨が得られる。即ち、制御可能なライト群の電流範囲は０〜３８７．５１ｍＡとなる。更に、１％を１段とすれば、各段の電流を３．８７５１ｍＡとできる。このようにすれば、分割された電流値を用いて当該ＬＥＤライト群ＬＥＤ＿２の電流を微調整可能となる。
【００５５】
当該補助光ライト光源１０の発光輝度を制御したい（当該メイクアップライト光源２０の発光輝度は制御しない）場合、即ち、モード３の操作を選択した場合には、当該ライト群制御信号ＬＥＤ＿１＿ＥＮの論理レベルがハイとなり、当該ライト群制御信号ＬＥＤ＿２＿ＥＮの論理レベルがローとなる。また、上述したように、通常、当該補助光ライト光源１０の発光輝度は大きいことから、当該制御装置１００が提供する上記の分岐路制御信号ＬＥＤ＿ＣＴＲＬ＿１〜ＬＥＤ＿ＣＴＲＬ＿ｎは、複数組の分岐路スイッチＱｒ１〜Ｑｒｎをオンとするか、抵抗値の小さな分岐路スイッチＱｒ１〜Ｑｒｎをオンとする。そこで、当該分岐路制御信号ＬＥＤ＿ＣＴＲＬ＿１が抵抗値の小さな分岐路スイッチＱｒ１をオンとするよう選択すれば、当該分岐路制御信号ＬＥＤ＿ＣＴＲＬ＿１の論理レベルがハイとなり、当該分岐路制御信号ＬＥＤ＿ＣＴＲＬ＿２の論理レベルがロー（分岐路スイッチＱｒ２がオフ）となって、分岐路全体の等価抵抗０．１６７Ωが得られる。これにより、ＬＥＤライト群を流れる電流（ＩＬＥＤ）の大きさの関係式（フィードバック電圧ＶＦＢが０．１５５Ｖと仮定）で演算すると、ライト群の最大電流（ＩＬＥＤ＿ｍａｘ）が９２８．１４ｍＡである旨が得られる。即ち、制御可能なライト群の電流範囲は０〜９２８．１４ｍＡとなる。更に、１％を１段とすれば、各段の電流を９．２８１４ｍＡとできる。このようにすれば、分割された電流値を用いて当該ＬＥＤライト群ＬＥＤ＿１の電流を微調整可能となる。
【００５６】
当該補助ライト光源１０及び当該メイクアップライト光源２０の双方について発光輝度を制御したい場合、即ち、モード４の操作を選択した場合には、当該ライト群制御信号ＬＥＤ＿１＿ＥＮと当該ライト群制御信号ＬＥＤ＿２＿ＥＮ双方の論理レベルがハイとなる。また、当該制御装置１００は、当該分岐路制御信号ＬＥＤ＿ＣＴＲＬ＿１と当該分岐路制御信号ＬＥＤ＿ＣＴＲＬ＿２の論理レベルがいずれもハイとなるよう制御するため、分岐路スイッチＱｒ１と分岐路スイッチＱｒ２がオンとなって、Ｒｓｅｔ＿１とＲｓｅｔ＿２が並列に接続された抵抗値０．１１７８Ωが得られる。これにより、ＬＥＤライト群を流れる電流（ＩＬＥＤ）の大きさの関係式（フィードバック電圧ＶＦＢが０．１５５Ｖと仮定）で演算すると、ライト群の最大電流（ＩＬＥＤ＿ｍａｘ）が１３１６Ａである旨が得られる。即ち、制御可能なライト群の電流範囲は０〜１３１６ｍＡの範囲となる。更に、１％を１段とすれば、各段の電流を１３．１６ｍＡとできる。このようにすれば、分割された電流値を用いて当該ＬＥＤライト群ＬＥＤ＿１及び当該ＬＥＤライト群ＬＥＤ＿２の電流を微調整可能となる。
【００５７】
上記で説明したように、本考案における高精度制御型の電流制御装置は、１組又は複数組のＬＥＤライト群の発光輝度の制御に適用可能である。なお、応用ニーズによっては上記で例示した説明に限らず、個々のＬＥＤライト群の発光輝度を別個に制御してもよいし、複数組のＬＥＤライト群の発光輝度を同時に制御してもよい。
【００５８】
以上述べたように、本考案は以下の特徴と利点を有する。
【００５９】
１．個々のＬＥＤライトの発光輝度を個別に制御してもよいし、複数組のＬＥＤライト群の発光輝度を同時に制御してもよいため、光源制御の応用の多元性及び柔軟性が増す。
【００６０】
２．より少ない光源駆動装置を使用することで、デバイスコストや駆動装置による使用面積を削減可能であるとともに、回路制御の難度も低下する。且つ、異なるモードを提供可能なため、使用状況の違いに応じて異なる輝度ニーズに対応し、異なる最大電流の供給範囲をそれぞれ提供可能である。
【００６１】
３．パルス幅変調信号のデューティサイクルを制御することで、ＬＥＤライト群の電流を細かく（例えば、１％間隔の電流値で）調整可能となるため、ＬＥＤライト群の電流の高精度制御を実現できる。
【００６２】
以上は本考案の好ましい具体的実施例の詳細な説明及び図面にすぎず、本考案の特徴はこれに限らない。また、本考案を制限するとの意図でもない。本考案の全ての範囲は以下に記載する実用新案登録請求の範囲に準じるものとし、本実用新案登録請求の範囲の精神に適合するもの及びこれと類似する実施例の変形は、いずれも本考案の範囲に含まれるものとする。また、当業者が本考案の分野において容易に想到可能な変形又は補足は、いずれも以下の実用新案登録請求の範囲に含まれ得る。
【符号の説明】
【００６３】
１  電子ミラースクリーン
２  スクリーン
３  撮影レンズ
５０  ＬＥＤ駆動装置
１００  制御装置
１０  補助ライト光源
２０  メイクアップライト光源
Ｒｓｅｔ  抵抗値
ＩＬＥＤ  電流
ＶＦＢ  フィードバック電圧
Ｑ１〜Ｑｎ  ライト群スイッチ
Ｂｒ＿１〜Ｂｒ＿ｎ  抵抗分岐路
ＬＥＤ＿１〜ＬＥＤ＿ｎ  ＬＥＤライト群
Ｒｓｅｔ＿１〜Ｒｓｅｔ＿ｎ  抵抗器
Ｑｒ１〜Ｑｒｎ  分岐路スイッチ
ＶＬＥＤ＋，ＶＬＥＤ−  電圧
ＬＥＤ＿ＥＮ  駆動装置イネーブル信号
ＬＥＤ＿ＰＷＭ  パルス幅変調信号
ＬＥＤ＿１＿ＥＮ〜ＬＥＤ＿ｎ＿ＥＮ  ライト群制御信号
ＬＥＤ＿ＣＴＲＬ＿１〜ＬＥＤ＿ＣＴＲＬ＿ｎ  分岐路制御信号
【図１】
0003228646.tif 000008
【図２】
0003228646.tif 000009
【図３】
0003228646.tif 000010
【図４】
0003228646.tif 000011